(57)【要約】【課題】必要なときに時刻の表示を可能にするテレビジョン装置を提供する。【解決手段】映像を表示するＣＲＴ１３と、中間周波信号から分離された映像信号を基にして、ＣＲＴ１３に映像を表示する映像信号処理部１１とを備えるテレビジョン装置において、時刻を計る時計部５と、時計部５が計った時刻を表示するための映像信号を生成し、この映像信号を映像信号処理部１１に送る切換部４、制御部８、および画像合成部９を備える。これによって、ＣＲＴ１３に時刻を常に表示することができる。このとき、ＣＲＴ１３に表示される文字の大きさ、明るさ、表示位置を自由に設定することができる。また、表示されている時刻を修正することができる。【選択図】　図１
2004135022.tif 000002
【特許請求の範囲】
【請求項１】
映像を表示する表示部と、中間周波信号から分離された映像信号を基にして、前記表示部に映像を表示する映像信号処理部とを備えるテレビジョン装置において、
時刻を計る時計部と、
前記時計部が計った時刻を表示するための映像信号を生成し、この映像信号を映像信号処理部に送る生成手段と、
を備えることを特徴とするテレビジョン装置。
【請求項２】
前記表示部の時刻表示の大きさを設定するための第１の入力部を備え、
前記生成手段は、前記第１の入力部に設定された大きさで時刻表示をするための映像信号を生成することを特徴とする請求項１に記載のテレビジョン装置。
【請求項３】
前記表示部の明るさを設定するための第２の入力部を備え、
前記生成手段は、前記第２の入力部に設定された明るさで時刻表示をするための映像信号を生成することを特徴とする請求項１または２に記載のテレビジョン装置。
【請求項４】
前記表示部の表示位置を設定するための第３の入力部を備え、
前記生成手段は、前記第３の入力部に設定された表示位置に時刻表示をするための映像信号を生成することを特徴とする請求項１〜３のいずれか１項に記載のテレビジョン装置。
【請求項５】
時刻を修正するための時刻修正部を備え、
前記生成手段は、前記時刻修正部によって前記時計部の時刻を修正することを特徴とする請求項１〜４のいずれか１項に記載のテレビジョン装置。
【発明の詳細な説明】
【０００１】
【発明の属する技術分野】
この発明は、テレビ電波を受信して映像を表示するテレビジョン装置に関する。
【０００２】
【従来の技術】
病院に入院した患者には、薬を飲む時などに時刻を知りたいことがよくある。このために、入院患者はベッドサイドに時計を置いている。しかし、入院患者が物を置くことができる所が限られ、時計を置く場所も制限されてしまう。この結果、置いた時計が患者のベッドから見にくい場合がある。また、時計が治療や看護の邪魔になることもある。そこで、必要なときに時刻を知るために、テレビに映し出される時刻を入院患者が見るときがある。
【０００３】
【発明が解決しようとする課題】
しかし、テレビ放送の時刻表示は、たとえば朝方や夕方の時間帯に限られる。また、テレビが時刻を映し出している場合でも、時刻表示の位置がテレビ画面の隅であったりして、表示された時刻を入院患者が見にくい。
【０００４】
この発明は、前記の課題を解決し、必要なときに時刻の表示を可能にするテレビジョン装置を提供することにある。
【０００５】
【課題を解決するための手段】
前記課題を解決するために、請求項１の発明は、映像を表示する表示部と、中間周波信号から分離された映像信号を基にして、前記表示部に映像を表示する映像信号処理部とを備えるテレビジョン装置において、時刻を計る時計部と、前記時計部が計った時刻を表示するための映像信号を生成し、この映像信号を映像信号処理部に送る生成手段とを備えることを特徴とするテレビジョン装置である。請求項２の発明は、請求項１に記載のテレビジョン装置において、前記表示部の時刻表示の大きさを設定するための第１の入力部を備え、前記生成手段は、前記第１の入力部に設定された大きさで時刻表示をするための映像信号を生成することを特徴とする。請求項３の発明は、請求項１または２に記載のテレビジョン装置において、前記表示部の明るさを設定するための第２の入力部を備え、前記生成手段は、前記第２の入力部に設定された明るさで時刻表示をするための映像信号を生成することを特徴とする。請求項４の発明は、請求項１〜３のいずれか１項に記載のテレビジョン装置において、前記表示部の表示位置を設定するための第３の入力部を備え、前記生成手段は、前記第３の入力部に設定された表示位置に時刻表示をするための映像信号を生成することを特徴とする。請求項５の発明は、請求項１〜４のいずれか１項に記載のテレビジョン装置において、時刻を修正するための時刻修正部を備え、前記生成手段は、前記時刻修正部によって前記時計部の時刻を修正することを特徴とする。
【０００６】
【発明の実施の形態】
つぎに、この発明の実施の形態について、図面を参照して詳しく説明する。この実施の形態によるテレビジョン装置を図１に示す。図１のテレビジョン装置は、チューナ１、ＩＦ部２、検波部３、切換部４、時計部５、表示操作部６、時刻修正部７、制御部８、画像合成部９、同期信号処理部１０、映像信号処理部１１、音声信号処理部１２、ＣＲＴ１３、およびスピーカ１４を備えている。図１のテレビジョン装置は、病室に設置され、プリペイド専用で入院患者に使用される。
【０００７】
チューナ１は、アンテナ１０１が受信した高周波のテレビ電波から、入院患者によって指定された放送局からの高周波信号を選択する。そして、チューナ１は、選択した高周波信号を中間周波信号に変換する。ＩＦ部２は、チューナ１からの中間周波信号を増幅する。検波部３は、ＩＦ部２からの中間周波信号を検波して映像信号を取り出す。
【０００８】
切換部４は、検波部３または制御部８からの映像信号を出力する。通常、切換部４は、検波部３からの映像信号ｃを映像信号処理部１１に出力する。また、切換部４は、制御部８から制御信号ａを受け取ると、制御部８からの映像信号ｂを映像信号処理部１１に出力する。映像信号処理部１１は、切換部４からの映像信号の増幅等の処理をする。そして、映像信号処理部１１は、この映像信号によって、ＣＲＴ１３に映像を映し出す。
【０００９】
また、映像信号処理部１１は、映像信号から同期信号を分離して、同期信号処理部１０に送る。同期信号処理部１０は、同期信号によって、ＣＲＴ１３が発生するビームを偏向する。
【００１０】
音声信号処理部１２は、ＩＦ部２からの中間周波信号の検波、増幅、復調などの処理をして、音声信号を再生する。そして、音声信号処理部１２は、再生した音声信号によって、スピーカ１４から音声を出力する。
【００１１】
切換部４、時計部５、表示操作部６、時刻修正部７、制御部８、および画像合成部９は、時刻を表す映像をＣＲＴ１２に表示するための映像信号を生成する。つまり、これらは生成手段を構成する。時計部５は、時刻を計り、この時刻を表す時刻信号を生成して、制御部８に送る。時計部５は常時、時刻を計っている。また、時計部５は、制御部８から時刻修正信号を受け取ると、この信号によって、計っている時刻を修正する。
【００１２】
表示操作部６は、ＣＲＴ１３に表示する時刻の文字の大きさを調節するボリューム、表示する文字の明るさを調節するボリューム、表示する文字の位置を調節する上下左右の矢印ボタンなどを備えている。これらのボリュームやボタンが操作されると、表示操作部６は、表示操作信号を生成して制御部８に送る。つまり、表示操作部６は第１の入力部、第２の入力部、第３の入力部である。
【００１３】
時刻修正部７は、時刻を修正するための送りボタン、戻しボタンを備えている。入院患者によってこれらのボタンが操作されると、時刻修正部７は時刻修正信号を生成して制御部８に送る。
【００１４】
画像合成部９は、時刻をＣＲＴ１３に表示するための映像信号ｂを合成する。つまり、画像合成部９は、時計部５の時刻信号が示す時刻を、表示操作部６の表示操作信号が指定する文字の明るさ、大きさ、および位置に表示するための映像信号ｂを生成する。
【００１５】
制御部８は、ＣＲＴ１３に時刻表示をするための制御をする。つまり、制御部８は、時計部５からの時刻信号と表示操作部６からの表示操作信号を受け取ると、これらの信号を画像合成部９に送る。そして、制御部８は、画像合成部９から映像信号を受け取ると、この信号を映像信号ｂとして切換部４に送る。制御部８は、表示操作部６の表示操作信号が時計表示を示すとき、切換部４に制御信号ａを送る。制御部８は、時刻修正部７からの時刻修正信号を受け取ると、この信号を時計部５に送る。これによって、時計部５は時刻を修正する。
【００１６】
以上がこの実施の形態によるテレビジョン装置の構成である。つぎに、このテレビジョン装置の動作について述べる。このテレビジョン装置は、プリペイド専用であり、入院患者のベッドサイドに置かれて使用される。
【００１７】
テレビジョン装置の電源がオンにされると、チューナ１は、アンテナ１０１が受信した高周波のテレビ電波から、入院患者が選んだ放送局からの高周波信号を選択し、この高周波信号を中間周波信号に変換する。ＩＦ部２はチューナ１からの中間周波信号を増幅し、検波部３はＩＦ部２からの中間周波信号を検波して映像信号ｃを取り出し、切換部４に出力する。
【００１８】
通常、制御部８が制御信号ａを出力していないので、切換部４は検波部３からの映像信号ｃを映像信号処理部１１に出力する。映像信号処理部１１は映像信号ｃに対する増幅等の処理を行い、映像信号ｃをＣＲＴ１３に出力する。同時に、映像信号処理部１１は、映像信号ｃから同期信号を分離して、同期信号処理部１０に送る。同期信号処理部１０は、同期信号によって、ＣＲＴ１３が発生するビームを偏向する。これによって、ＣＲＴ１３は映像を映し出す。
【００１９】
一方、時計部５は時刻を計り、時刻信号を出力する。また、入院患者が時刻修正部７を操作すると、時刻修正部７が時刻修正信号を制御部８に出力する。制御部８は時刻修正信号を時計部５に送り、時計部５はこの信号によって現在の時刻を修正する。
【００２０】
この状態のとき、入院患者が時刻修正部７を操作して、時刻表示に切り替えると、表示操作部６は時刻表示を示す表示操作信号を制御部８に送る。これによって、制御部８は、時計部５からの時刻信号と、表示操作部６からの表示操作信号とを画像合成部９に送る。同時に、制御部８は、制御信号ａを切換部４に出力する。画像合成部９は、時刻信号と表示操作信号とを受け取ると、時計部５の時刻信号が示す時刻を、表示操作部６の表示操作信号が示す文字の大きさと位置とに表示するための映像信号ｂを生成する。制御部８は、画像合成部９からの映像信号ｂを切換部４に出力する。
【００２１】
切換部４は、制御信号ａによって制御部８からの制御信号ａを切換部４に出力する。時刻を示す映像信号ｂによって、図２に示すように、ＣＲＴ１３は現在の時刻を表す映像Ａ１を画面１３Ａに表示する。このとき、入院患者が表示操作部６を操作すれば、映像Ａ１を拡大した映像Ａ１１を画面１３Ａに表示する。さらに、図３に示すように、映像Ａ１を動かした映像、つまり、映像Ａ２１〜Ａ２８の中の１つを画面１３Ａに表示する。また、映像Ａ１、Ａ１１、Ａ２１〜Ａ２８の明るさを表示操作部６に設定された明るさに変える。
【００２２】
こうして、この実施の形態によるテレビジョン装置によれば、時刻を常に表示することができる。このとき、文字の大きさ、明るさ、表示位置を自由に設定することができる。また、表示されている時刻を修正することができる。
【００２３】
以上、この発明の実施の形態を詳述してきたが、具体的な構成はこの実施の形態に限られるものではなく、この発明の要旨を逸脱しない範囲の設計の変更等があっても、この発明に含まれる。
【００２４】
たとえば、時刻修正部７による時刻修正は、送りボタンや戻しボタンの操作によって行われるが、これらのボタンの代わりに、正確な時刻を表す標準電波を受信して、送り信号や戻し信号を生成するようにしてもよい。
【００２５】
【発明の効果】
以上、説明したように、この発明によれば、表示部に時刻を常に表示することができる。このとき、表示部に表示される文字の大きさ、明るさ、表示位置を自由に設定することができる。また、表示されている時刻を修正することができる。
【図面の簡単な説明】
【図１】この発明の実施の形態によるテレビジョン装置の構成を示すブロック図である。
【図２】時刻表示の大きさを変えた場合の表示例を示す図である。
【図３】時刻表示の位置を変えた場合の表示例を示す図である。
【符号の説明】
１　チューナ
２　ＩＦ部
３　検波部
４　切換部
５　時計部
６　表示操作部
７　時刻修正部
８　制御部
９　画像合成部
１０　同期信号処理部
１１　映像信号処理部
１２　音声信号処理部
１３　ＣＲＴ
１３Ａ　画面
１４　スピーカ
【図１】
2004135022.tif 000003
【図２】
2004135022.tif 000004
【図３】
2004135022.tif 000005